(57)【要約】【課題】手間と時間を掛けることをなく拡張ユニット２０の固定作業ができる拡張ユニットの取付構造および拡張ユニットの取付方法を提供すること。【解決手段】四隅の柱１１と、柱１１の上端間を連結する上梁と、柱１１の下端間を連結する下梁とを有した建物ユニット１０Ａの側方に隣接して拡張ユニット２０を取り付ける拡張ユニットの取付構造であって、拡張ユニット２０は、柱１１に対向する拡張ユニット柱２１と、下梁に対向する拡張ユニット下梁２３とを少なくとも有して構成され、柱脚部に固定された第１ブラケット１５のガイドピン１５４を柱脚部に固定された第２ブラケット２７の挿通孔２７２に挿通して互いに位置決めしてから、下梁と拡張ユニット下梁２３とを連結手段４０を介して互いに連結する。【選択図】図７
2010229662.tif 000002
【特許請求の範囲】
【請求項１】
四隅の柱と、前記柱の上端間を連結する上梁と、前記柱の下端間を連結する下梁とを有した建物ユニットの側方に隣接して拡張ユニットを取り付ける拡張ユニットの取付構造であって、
前記拡張ユニットは、前記柱に対向する拡張ユニット柱と、前記下梁に対向する拡張ユニット下梁とを少なくとも有して構成され、前記柱の柱脚部と前記拡張ユニット柱の柱脚部とが位置決め手段を介して互いに位置決めされ、前記下梁と前記拡張ユニット下梁とが連結手段を介して互いに連結されることを特徴とする拡張ユニットの取付構造。
【請求項２】
請求項１に記載の拡張ユニットの取付構造において、
前記位置決め手段は、前記柱の前記柱脚部に固定されるとともにガイドピンを有した第１ブラケットと、前記拡張ユニット柱の前記柱脚部に固定されるとともに挿通孔を有した第２ブラケットとを有して構成され、前記ガイドピンが下方から上方に向かって前記挿通孔に挿通されることで前記拡張ユニットが位置決めされることを特徴とする拡張ユニットの取付構造。
【請求項３】
請求項１または請求項２に記載の拡張ユニットの取付構造において、
前記連結手段は、前記下梁の側面に固定される第３ブラケットと、前記拡張ユニット下梁の側面に固定される第４ブラケットと、前記第３ブラケットと前記第４ブラケットとを接合する接合部材とを有して構成され、前記第３ブラケットが前記第４ブラケットの下側に位置して互いに接合されることを特徴とする拡張ユニットの取付構造。
【請求項４】
請求項３に記載の拡張ユニットの取付構造において、
前記第３ブラケットと前記第４ブラケットとの接合高さ位置が、前記下梁の中間高さ位置に設けられていることを特徴とする拡張ユニットの取付構造。
【請求項５】
四隅の柱と、前記柱の上端間を連結する上梁と、前記柱の下端間を連結する下梁とを有した建物ユニットの側方に隣接して拡張ユニットを取り付ける拡張ユニットの取付方法であって、
前記拡張ユニットは、前記柱に対向する拡張ユニット柱と、前記下梁に対向する拡張ユニット下梁とを少なくとも有して構成されており、この拡張ユニットを前記建物ユニットの側方に隣接して取り付ける際、前記拡張ユニット柱の柱脚部と前記柱の柱脚部とを位置決め手段を介して互いに位置決めしてから、前記下梁と前記拡張ユニット下梁とを連結手段を介して互いに連結することを特徴とする拡張ユニットの取付方法。
【請求項６】
請求項５に記載の拡張ユニットの取付方法において、
前記下梁と前記拡張ユニット下梁との隙間を介して前記連結手段を接合することを特徴とする拡張ユニットの取付方法。
【請求項７】
建物ユニットと、この建物ユニットの側方に隣接して取り付けられる拡張ユニットとを備えたユニット式建物であって、
請求項１から請求項４のいずれかに記載の拡張ユニットの取付構造で前記拡張ユニットが前記建物ユニットに取り付けられることを特徴とするユニット式建物。
【発明の詳細な説明】
【技術分野】
【０００１】
本発明は、拡張ユニットの取付構造および拡張ユニットの取付方法およびユニット式建物に関する。
【背景技術】
【０００２】
複数の建物ユニットからなり、所定の建物ユニットの側方に隣接して張出ユニット、オーバーハングユニットなどの拡張ユニットを固定したユニット式建物がある（例えば、特許文献１、２参照）。
特許文献１の拡張ユニットは、その下梁に設けたアングルを建物ユニットの床梁に載置するとともに、拡張ユニットと建物ユニットの柱同士を複数箇所でボルト締めすることで固定されている。
特許文献２の拡張ユニットは、その柱の上下端に予め固定しておいたブラケットを建物ユニットの柱にボルト締めすることで固定されている。
【先行技術文献】
【特許文献】
【０００３】
【特許文献１】特開平９−２９６５２２号公報
【特許文献２】特開平８−１３６１９号公報
【発明の概要】
【発明が解決しようとする課題】
【０００４】
しかしながら、いずれの特許文献に記載された技術においても、拡張ユニットを建物ユニットに固定する際、拡張ユニットをクレーン等で吊り上げた状態で保持しつつ、所定の固定位置に合わせながらボルト締めの作業を行う必要があり、拡張ユニットの固定作業に手間と時間が掛かってしまうという不都合がある。
【０００５】
本発明の目的は、手間と時間を掛けることをなく拡張ユニットの固定作業ができる拡張ユニットの取付構造および拡張ユニットの取付方法およびユニット式建物を提供することにある。
【課題を解決するための手段】
【０００６】
この目的を達成するために本発明の拡張ユニットの取付構造は、以下の構成を備える。
すなわち、図面も参照して説明すると、四隅の柱１１と、前記柱１１の上端間を連結する上梁１２と、前記柱１１の下端間を連結する下梁１３とを有した建物ユニット１０Ａの側方に隣接して拡張ユニット２０を取り付ける拡張ユニットの取付構造であって、前記拡張ユニット２０は、前記柱１１に対向する拡張ユニット柱２１と、前記下梁１３に対向する拡張ユニット下梁２３とを少なくとも有して構成され、前記柱１１の柱脚部１２と前記拡張ユニット柱２１の柱脚部とが位置決め手段３０を介して互いに位置決めされ、前記下梁１３と前記拡張ユニット下梁２３とが連結手段４０を介して互いに連結されることを特徴とする。
【０００７】
この発明によれば、位置決め手段３０を介して拡張ユニット２０を所定の取付位置に位置決めすることで、連結手段４０の連結作業を容易に実施することができる。
したがって、手間と時間を掛けることをなく拡張ユニット２０の固定作業ができる。
【０００８】
この際、本発明の拡張ユニットの取付構造では、前記位置決め手段３０は、前記柱１１の前記柱脚部１２に固定されるとともにガイドピン１５４を有した第１ブラケット１５と、前記拡張ユニット柱２１の前記柱脚部に固定されるとともに挿通孔２７２を有した第２ブラケット２７とを有して構成され、前記ガイドピン１５４が下方から上方に向かって前記挿通孔２７２に挿通されることで前記拡張ユニット２０が位置決めされることが好ましい。
この構成によれば、ガイドピン１５４を下方から上方に向かって挿通孔２７２に挿通する位置決め手段３０を有するため、建物ユニット１０Ａに対して上方から吊り込んだ拡張ユニット２０を容易に位置決めできる。
【０００９】
また、本発明の拡張ユニットの取付構造では、前記連結手段４０は、前記下梁１３の側面に固定される第３ブラケット１６と、前記拡張ユニット下梁２３の側面に固定される第４ブラケット２８と、前記第３ブラケット１６と前記第４ブラケット２８とを接合する接合部材とを有して構成され、前記第３ブラケット１６が前記第４ブラケット２８の下側に位置して互いに接合されることが好ましい。
この構成によれば、下梁１３の側面に固定される第３ブラケット１６が拡張ユニット下梁２３の側面に固定される第４ブラケット２８の下側に位置するため、建物ユニット１０Ａに対して上方から吊り込んだ拡張ユニット２０を容易に連結できる。
【００１０】
また、本発明の拡張ユニットの取付構造では、前記第３ブラケット１６と前記第４ブラケット２８との接合高さ位置が、前記下梁１３の中間高さ位置に設けられていることが好ましい。
この構成によれば、第３ブラケット１６と、第４ブラケット２８との接合高さ位置が下梁１３の中間高さ位置に設けられているため、下梁１３の高さの半分程度の高さに形成される第３ブラケット１６と第４ブラケット２８とを下梁１３の上下端から出っ張らずに設けることができ、これら第３ブラケット１６と第４ブラケット２８とが内外装の邪魔になることを防止することができる。
【００１１】
一方、本発明の拡張ユニットの取付方法は、四隅の柱１１と、前記柱１１の上端間を連結する上梁１２と、前記柱１１の下端間を連結する下梁１３とを有した建物ユニット１０Ａの側方に隣接して拡張ユニット２０を取り付ける拡張ユニットの取付方法であって、前記拡張ユニット２０は、前記柱１１に対向する拡張ユニット柱２１と、前記下梁１３に対向する拡張ユニット下梁２３とを少なくとも有して構成されており、この拡張ユニット２０を前記建物ユニット１０Ａの側方に隣接して取り付ける際、前記拡張ユニット柱２１の柱脚部と、前記柱１１の柱脚部１２とを位置決め手段３０を介して互いに位置決めしてから、前記下梁１３と前記拡張ユニット下梁２３とを連結手段４０を介して互いに連結することを特徴とする。
この発明によれば、前述した拡張ユニットの取付構造と同様に手間と時間を掛けることをなく拡張ユニット２０の固定作業ができる。
【００１２】
また、本発明の拡張ユニットの取付方法では、前記下梁１３と前記拡張ユニット下梁２３との隙間を介して前記連結手段４０を接合することが好ましい。
この構成によれば、連結手段４０が下梁１３と拡張ユニット下梁２３との隙間に設けられているため、すなわち連結手段４０が柱１１と拡張ユニット柱２１とから離れているため、作業者が連結手段４０の上方から下向きで連結作業をすることができ、上や横を向いて連結作業をする場合に比べて作業性を向上することができる。
【００１３】
一方、本発明のユニット式建物１は、建物ユニット１０Ａと、この建物ユニット１０Ａの側方に隣接して取り付けられる拡張ユニット２０とを備えたユニット式建物１であって、前述した拡張ユニットの取付構造で前記拡張ユニット２０が前記建物ユニット１０Ａに取り付けられることを特徴とする。
この発明によれば、拡張ユニット２０が建物ユニット１０Ａの側方に隣接して取り付けられるため、拡張ユニット２０の下に基礎２や他の建物ユニット１０などを設けなくても拡張ユニット２０を設置することができ、この拡張ユニット２０で拡張部やオーバーハング部を形成して、建物内部空間を容易に拡大することができる。
【図面の簡単な説明】
【００１４】
【図１】本発明の実施形態に係るユニット式建物を示す斜視図である。
【図２】前記ユニット式建物を構成する建物ユニットを示す斜視図である。
【図３】前記ユニット式建物を構成する拡張ユニットを示す斜視図である。
【図４】前記拡張ユニットの位置決め手段を示す分解斜視図である。
【図５】前記拡張ユニットの連結手段を示す分解斜視図である。
【図６】拡張ユニット柱の固定手段を示す横断面図である。
【図７】前記拡張ユニットの位置決め状態を示す縦断面図である。
【図８】前記拡張ユニットの連結状態を示す縦断面図である。
【発明を実施するための形態】
【００１５】
以下、本発明の実施形態を図面に基づいて説明する。
図１は、本発明の実施形態に係るユニット式建物１を示す斜視図である。図２は、ユニット式建物１を構成する建物ユニット１０Ａを示す斜視図である。図３は、ユニット式建物１を構成する拡張ユニット２０を示す斜視図である。
図１に示すように、ユニット式建物１は、基礎２と、基礎２の上に２段に設けられた複数（１２個）の建物ユニット１０と拡張ユニット２０とを有する建物本体３と、この建物本体３の上に設けられる屋根４とを備えて構成されている。
【００１６】
図２に示すように、建物ユニット１０は、四隅に立設される４本の柱１１と、柱１１の上端間に設けられる４本の上梁１２と、柱１１の下端間に設けられる４本の下梁１３とを有して構成され、全体略直方体状に形成されている。この上梁１２と下梁１３とは、仕口１４を介して柱１１に連結されている。そして、一階に設けられる建物ユニット１０は、柱１１の下方においてアンカーボルト（図示せず）を介して基礎２に締結され、二階に設けられる建物ユニット１０は、柱１１の下端部が一階の建物ユニット１０の柱１１の上端部にシアープレート（図示せず）を介して連結されている。
【００１７】
また、図３に示すように、拡張ユニット２０は、四隅に立設される４本の拡張ユニット柱２１と、拡張ユニット柱２１の上端間同士を結合する４本の拡張ユニット上梁２２と、拡張ユニット柱２１の下端間同士を結合する４本の拡張ユニット下梁２３とから全体略直方体状に形成されている。そして、拡張ユニット２０の長辺側の両側面においては、拡張ユニット上梁２２と拡張ユニット下梁２３との間に間柱２４が２本ずつ（合計４本）設けられ、間柱２４の下部と隣接する拡張ユニット柱２１の上部とがブレース２５Ａで連結されている。さらに拡張ユニット２０の短辺側の両側面においては、拡張ユニット柱２１の間に、水平部材２６が２本ずつ（合計４本）設けられ、拡張ユニット下梁２３の一端と、拡張ユニット下梁２３に隣接する水平部材２６の一端とがブレース２５Ｂで連結されている。
【００１８】
以上の拡張ユニット２０は、拡張ユニット柱２１と拡張ユニット下梁２３とがそれぞれ柱１１と下梁１３とに対向した状態で位置決め手段３０によって位置決めされ、連結手段４０によって下梁１３と拡張ユニット下梁２３とが連結されるとともに、固定手段５０によって柱１１と拡張ユニット柱２１とが固定され、これによって建物ユニット１０Ａの側方に隣接して取り付けられている。
【００１９】
図４〜図８も参照して、位置決め手段３０、連結手段４０、固定手段５０について詳しく説明する。
ここで、図４は、拡張ユニット２０の位置決め手段３０を示す分解斜視図である。図５は、拡張ユニット２０の連結手段４０を示す分解斜視図である。図６は、拡張ユニット柱２１の固定手段５０を示す横断面図である。図７は、拡張ユニット２０の位置決め状態を示す側面図である。図８は、拡張ユニット２０の連結状態を示す側面図である。
【００２０】
位置決め手段３０は、図４および図７にも示すように、第１ブラケット１５と第２ブラケット２７とを有して構成されている。
第１ブラケット１５は、拡張ユニット２０に隣接する側面１００において、柱脚部としての下の仕口１４に１個ずつ（合計２個）固定されるとともに、断面Ｌ字形状のブラケット本体１５０と、このブラケット本体１５０に溶接される２枚の補強板１５１と、当接面１５３に設けられる貫通孔１５２と、この貫通孔１５２に挿通された状態で溶接されるガイドピン１５４とを有して構成されている。
【００２１】
また、第２ブラケット２７は、建物ユニット１０Ａに隣接する側面２００において、拡張ユニット柱２１の柱脚部に１個ずつ（合計２個）固定されるとともに、断面Ｌ字形状のブラケット本体２７０と、このブラケット本体２７０に溶接される２枚の補強板２７１と、当接面２７３に設けられる貫通孔２７２とを有して構成されている。
【００２２】
以上のように位置決め手段３０は、挿通孔２７２にガイドピン１５４が挿通され、当接面１５３と当接面２７３とが当接することで、第１ブラケット１５に対して第２ブラケット２７が所定高さかつ所定の平面位置に位置決め可能に構成されている。
【００２３】
連結手段４０は、図５および図８にも示すように、第３ブラケット１６と第４ブラケット２８とを有して構成されている。
第３ブラケット１６は、
拡張ユニット２０に隣接する側面１００において、柱１１から所定の距離だけ離れた位置の下梁１３に左右１ヶ所ずつの計２個が固定されるとともに、断面Ｌ字形状のブラケット本体１６０と、このブラケット本体１６０に溶接される４枚の補強板１６１と、接合面１６５に設けられる２個の貫通孔１６２と、これら貫通孔１６２の間に設けられる１個のシノ孔１６３と、貫通孔１６２の下端に１個ずつ溶接される袋ナット１６４とを有して構成されている。具体的には、連結作業の際、作業者の手や工具が余裕を持って入る程度の寸法だけ柱１１から離れて第３ブラケット１６は固定されている。これに対して、ボルト締めなどの連結作業がない第１ブラケット１５は柱１１の柱脚部に設けられている。
【００２４】
また、第４ブラケット２８は、建物ユニット１０Ａに隣接する側面２００において、拡張ユニット下梁２３には第３ブラケット１６に対応する位置にそれぞれ１個ずつの計２個が固定されるとともに、断面Ｌ字形状のブラケット本体２８０と、このブラケット本体２８０に溶接される４枚の補強板２８１と２枚の座板２８６と、この座板２８６まで貫通するように接合面２８５に設けられる２個の貫通孔２８２と、これら貫通孔２８２の間に設けられる１個のシノ孔２８３とを有して構成されている。
【００２５】
以上のように連結手段４０は、下梁１３と拡張ユニット下梁２３との隙間に設けられている。そして、連結手段４０は、下梁１３の中間高さ位置（一点差線で図示）で接合面１６５に接合面２８５を当接させて第３ブラケット１６の上に第４ブラケット２８を載置し、貫通孔２８２を通してボルト２８４を貫通孔１６２に挿通するとともに袋ナット１６４に螺合することで第３ブラケット１６に対して第４ブラケット２８が連結可能に構成されている。
【００２６】
固定手段５０は、図６に示すように、第５ブラケット１７で構成されている。
第５ブラケット１７は、側面１００において、柱１１の上部に２個ずつ（合計４個）設けられた貫通孔１１０と、貫通孔１７１とに挿通されるボルト１７５とナット１７６とで柱１１に１個ずつ（合計２個）固定されている。そして、第５ブラケット１７は、３枚の板が断面略Ｔ字形状に溶接されるブラケット本体１７０と、当接面１７３に設けられる２個の貫通孔１７１と、当接面１７４に設けられる２個の貫通孔１７２とを有して構成されている。
以上のように固定手段５０は、貫通孔１７２を通してボルト１７７を拡張ユニット柱２１の上部に２個ずつ（合計４個）設けられた貫通孔２１０に挿通するとともにナット１７８に螺合させることで柱１１に対して拡張ユニット柱２１が固定可能に構成されている。
【００２７】
次に、本実施形態の拡張ユニットの取付手順について説明する。
建物ユニット１０Ａに対して上方に拡張ユニット２０をクレーンなどで吊り込み、挿通孔２７２にガイドピン１５４を挿通し、当接面１５３と当接面２７３とを当接することで、第１ブラケット１５に対して第２ブラケット２７を位置決めし、拡張ユニット２０を建物ユニット１０Ａに対して所定高さかつ所定の平面位置に位置決めする。そして、連結手段４０の上方から下梁１３と拡張ユニット下梁２３との隙間に工具２８７（２点鎖線で図示）を入れ、ボルト２８４を袋ナット１６４に螺合することによって、連結手段４０で拡張ユニット２０を連結する。この際に生じる微妙な位置のずれは、シノ孔１６３とシノ孔２８３とにシノを挿通してこじることで微調整する。さらに、拡張ユニット柱２１を固定手段５０で柱１１に固定することによって建物ユニット１０Ａに拡張ユニット２０を取り付ける。
【００２８】
〔実施形態の効果〕
以上のような実施形態によれば以下の効果がある。
（１）位置決め手段３０を介して拡張ユニット２０を所定の取付位置に位置決めすることで、連結手段４０の連結作業を容易に実施することができる。
したがって、手間と時間を掛けることをなく拡張ユニット２０の固定作業ができる。
【００２９】
（２）ガイドピン１５４を下方から上方に向かって挿通孔２７２に挿通する位置決め手段３０を有するため、建物ユニット１０Ａに対して上方から吊り込んだ拡張ユニット２０を容易に位置決めできる。
【００３０】
（３）下梁１３の側面に固定される第３ブラケット１６が拡張ユニット下梁２３の側面に固定される第４ブラケット２８の下側に位置するため、建物ユニット１０Ａに対して上方から吊り込んだ拡張ユニット２０を容易に連結できる。
【００３１】
（４）第３ブラケット１６と、第４ブラケット２８との接合高さ位置が下梁１３の中間高さ位置に設けられているため、下梁１３の高さの半分程度の高さに形成される第３ブラケット１６と第４ブラケット２８とを下梁１３の上下端から出っ張らずに設けることができ、これら第３ブラケット１６と第４ブラケット２８とが内外装の邪魔になることを防止することができる。
【００３２】
（５）連結手段４０が下梁１３と拡張ユニット下梁２３との隙間に設けられているため、すなわち連結手段４０が柱１１と拡張ユニット柱２１とから離れているため、作業者が連結手段４０の上方から連結作業をすることができ、上や横を向いて連結作業をする場合に比べて作業性を向上することができる
【００３３】
（６）拡張ユニット２０が建物ユニット１０Ａの側方に隣接して取り付けられるため、拡張ユニット２０の下に基礎２や他の建物ユニット１０などを設けなくても拡張ユニット２０を設置することができ、この拡張ユニット２０で拡張部やオーバーハング部を形成することで、建物内部空間を容易に拡大することができる。
【００３４】
（７）第１ブラケット１５と第２ブラケット２７と第３ブラケット１６と第４ブラケット２８とには、それぞれ補強板１５１と補強板２７１と補強板１６１と補強板２８１とが取り付けられているため、位置決めされた拡張ユニット２０を確実に支持することができ、拡張ユニット２０の垂直方向の位置を確実に位置決めできる。
【００３５】
（８）第３ブラケット１６と第４ブラケット２８とには、シノ孔１６３とシノ孔２８３とがそれぞれ設けられているため、シノ孔１６３とシノ孔２８３とにシノを挿通してこじることで、位置決めされた拡張ユニット２０の位置を微調整することができる。
【００３６】
〔実施形態の変形〕
なお、本発明は前述の実施形態に限定されるものではなく、本発明の目的を達成できる範囲での変形、改良等は本発明に含まれるものである。
例えば、本実施形態では柱１１の柱脚部としての仕口１４に第１ブラケット１５を固定したが、拡張ユニット２０の側面２００の幅が建物ユニット１０Ａの側面１００の幅に比べて狭い場合は、建物ユニット１０Ａにおいて拡張ユニット柱２１が対向する位置に間柱を設け、この間柱の柱脚部に第１ブラケット１５を固定してもよい。この構成によれば、間柱の柱脚部に第１ブラケット１５が固定されるため、拡張ユニット２０を所定の連結位置に容易に位置決めすることができる。
また、本実施形態では柱脚部としての下の仕口１４に位置決め手段３０を１個ずつ（合計２個）設けたが、ガイドピンの高さが高く、かつ挿通孔２７２の径が大きい補助的な位置決め手段を下梁１３などに設けてもよい。この構成によれば、位置決め手段３０による位置決めの前に補助的な位置決め手段で位置決めされるため、位置決め手段３０による位置決めが容易になる。
さらに、本実施形態では、第１ブラケット１５は仕口１４に設けられたが、仕口１４に限らず、柱１１の下端部に設けられてもよい。また、拡張ユニット２０の柱と梁とを建物ユニット１０Ａと同様に仕口で連結して全体略直方体状に形成した場合、第２ブラケット２７は、柱脚部としての拡張ユニット柱２１の下端部に限らず仕口に設けられてもよい。
【産業上の利用可能性】
【００３７】
本発明は、住宅等の建物や、店舗等の建物に利用できる。
【符号の説明】
【００３８】
１…ユニット式建物、１０Ａ…建物ユニット、１１…柱、１２…上梁、１３…下梁、１４…仕口、１５…第１ブラケット、１６…第３ブラケット、２０…拡張ユニット、２１…拡張ユニット柱、２３…拡張ユニット下梁、２７…第２ブラケット、２８…第４ブラケット、３０…位置決め手段、４０…連結手段、１５４…ガイドピン、２７２…挿通孔。
【図１】
2010229662.tif 000003
【図２】
2010229662.tif 000004
【図３】
2010229662.tif 000005
【図４】
2010229662.tif 000006
【図５】
2010229662.tif 000007
【図６】
2010229662.tif 000008
【図７】
2010229662.tif 000009
【図８】
2010229662.tif 000010